(57)【要約】  本発明は携帯端末機に関する。本発明は複数の携帯端末機がソーシャルネットワーキングに基づく情報共有グループに指定される過程と、上記複数の携帯端末機のうちの少なくとも一つの携帯端末機が上記携帯端末機のユーザ機能管理のうちから選択されたり入力された少なくとも一つのアイテムを登録してソーシャル情報を生成する生成過程と、上記ソーシャル情報を相互指定された共有グループの携帯端末機が共有する共有過程と、を含むソーシャル情報管理方法の構成を開示する。
2014516180.tif 000002
【特許請求の範囲】
【請求項１】
複数の携帯端末機がソーシャルネットワーキングに基づく情報共有グループと指定される過程と、
前記複数の携帯端末機の中で少なくとも一つの携帯端末機が前記携帯端末機のユーザ機能管理のうちから選択され、入力された少なくとも一つのアイテムを登録してソーシャル情報を生成する生成過程と、
前記ソーシャル情報を相互指定された情報共有グループ内の他の携帯端末機が共有する共有過程と、を含むことを特徴とするソーシャル情報管理方法。
【請求項２】
前記共有過程は、
各携帯端末機が作成されたソーシャル情報を情報共有サーバへ送信する過程、及び
前記情報共有サーバが前記ソーシャル情報を作成した携帯端末機以外の携帯端末機へ送信する過程を含むことを特徴とする、請求項１に記載のソーシャル情報管理方法。
【請求項３】
前記ソーシャル情報を更新する更新過程をさらに含み、
前記更新過程は、
予め登録されたアイテムに追加情報を記入する過程と、
予め登録されたアイテムを削除する過程と、
予め登録されたアイテム情報を訂正する過程と、
新しいアイテムをソーシャル情報に登録する過程と、
前記更新過程発生によって更新されたソーシャル情報に他の携帯端末機と共有更新する過程のうちの少なくとも一つの過程と、を含むことを特徴とする、請求項１に記載のソーシャル情報管理方法。
【請求項４】
前記ソーシャル情報を生成する過程は、
前記携帯端末機ユーザが購買しようとする商品またはサービス情報、前記携帯端末機ユーザが購買した商品またはサービス情報、前記商品またはサービス購買売場位置情報、前記商品またはサービスに対する商品評情報、前記商品またはサービス関連イベント情報、前記商品またはサービス関連セール情報、前記商品またはサービス関連クーポン情報、前記商品またはサービス関連マイレージ情報のうちの少なくとも一つを含むアイテム登録に基づいてソーシャル情報を生成する過程であることを特徴とする、請求項１に記載のソーシャル情報管理方法。
【請求項５】
前記商品またはサービスに対応する少なくとも一つのアイテムから構成されたソーシャル情報を出力する過程と、
前記共有された複数のソーシャル情報をリストに出力する過程と、
前記共有された複数のソーシャル情報を一定分類で区分し、当該分類選択によって選択された分類に該当する項目を出力する過程と、
前記商品またはサービス関連情報の位置情報を地図情報上に出力する過程と、
前記登録されたアイテム選択の際、前記アイテムに係る多様な情報の詳細表示画面を出力する過程のうちのいずれか１つの過程と、をさらに含むことを特徴とする、請求項４に記載のソーシャル情報管理方法。
【請求項６】
外部からセール情報、イベント情報、クーポン情報、広告情報のうちの少なくとも一つを受信する過程と、
前記ソーシャル情報に登録されたアイテムに係るセール情報、イベント情報、クーポン情報、広告情報のみをフィルターリングする過程と、
フィルターリングされた情報を出力する過程と、をさらに含むことを特徴とする、請求項４に記載のソーシャル情報管理方法。
【請求項７】
前記アイテム購買のためのカード情報を前記ソーシャル情報に登録する過程と、
前記アイテム購買の際、前記登録されたカード情報のうちのいずれか１つのカードを決済手段で提供するために表示部に出力する決済手段提供過程をさらに含むことを特徴とする、請求項１に記載のソーシャル情報管理方法。
【請求項８】
特定携帯端末機のソーシャル情報に登録されたアイテムを他の携帯端末機に基づく決済するようにプレゼントリクエストする過程と、
特定携帯端末機のソーシャル情報に登録されたアイテムを他の携帯端末機に登録されたカード情報に基づいて決済して前記特定携帯端末機にプレゼントする過程をさらに含むことを特徴とする、請求項７に記載のソーシャル情報管理方法。
【請求項９】
ソーシャルネットワーキングに基づいて相互間情報共有グループと指定し、ユーザ機能管理のうちから選択され作成入力された少なくとも一つのアイテムを登録してソーシャル情報を生成した後、前記ソーシャル情報を相互指定された情報共有グループ内で共有する複数の携帯端末機、及び
前記複数の携帯端末機が作成したソーシャル情報を相互携帯端末機に送信して共有するようにサポートする情報共有サーバを含むことを特徴とするソーシャル情報管理システム。
【請求項１０】
前記携帯端末機は、
予め登録されたアイテムに追加情報を記入したり、予め登録されたアイテムを削除したり、予め登録されたアイテム情報を訂正したり、予め登録されない新しいアイテムをソーシャル情報に登録してソーシャル情報を更新することを特徴とする、請求項９に記載のソーシャル情報管理システム。
【請求項１１】
前記情報共有サーバは、
前記ソーシャル情報更新の際、更新されたソーシャル情報に他の携帯端末機へ送信して共有更新するように制御することを特徴とする、請求項１０に記載のソーシャル情報管理システム。
【請求項１２】
前記ソーシャル情報は、
前記携帯端末機ユーザが購買しようとする商品またはサービス情報、前記携帯端末機ユーザが購買した商品またはサービス情報、前記商品またはサービス購買売場位置情報、前記商品またはサービスに対する商品評情報、前記商品またはサービス関連イベント情報、前記商品またはサービス関連セール情報、前記商品またはサービス関連クーポン情報、前記商品またはサービス関連マイレージ情報のうちの少なくとも一つを含む少なくとも一つのアイテムから構成されることを特徴とする、請求項９に記載のソーシャル情報管理システム。
【請求項１３】
前記携帯端末機は、
前記商品またはサービスに対応する少なくとも一つのアイテムから構成されたソーシャル情報出力画面、前記共有された複数のソーシャル情報のリスト画面、前記共有された複数のソーシャル情報を一定分類と区分し、当該分類選択によって選択された分類に該当する項目から構成された画面、前記商品またはサービス関連情報の位置情報が表示された地図情報画面、前記登録されたアイテム選択の際、前記アイテムに係る多様な情報の詳細表示画面のうちのいずれか１つを出力する表示部を含むことを特徴とする、請求項１２に記載のソーシャル情報管理システム。
【請求項１４】
前記携帯端末機は、
外部からセール情報、イベント情報、クーポン情報、広告情報のうちの少なくとも一つを受信する無線通信部と、
前記ソーシャル情報に登録されたアイテムに係るセール情報、イベント情報、クーポン情報、広告情報のみをフィルターリングする制御部と、
フィルターリングされた情報を出力する表示部と、を含むことを特徴とする、請求項１２に記載のソーシャル情報管理システム。
【請求項１５】
前記ソーシャル情報は、
前記アイテム購買のためのカード情報をさらに含み、
前記携帯端末機は、
前記アイテム購買の際、前記登録されたカード情報のうちのいずれか１つのカードを決済手段として提供する制御部と、
前記決済処理係る画面と前記決済手段で提供されたカードに関する情報を出力する表示部と、を含むことを特徴とする、請求項９に記載のソーシャル情報管理システム。
【発明の詳細な説明】
【技術分野】
【０００１】
本発明は、携帯端末機に関し、特にソーシャル情報を共有し、共有されたソーシャル情報を利用してより多様でかつ信頼性高いユーザサービスを提供するソーシャル情報管理方法及びシステムに関する。
【背景技術】
【０００２】
携帯端末機は、移動性に基づいて通話機能をサポートする端末機として、その利用の便利性と携帯の容易性などにより非常に幅広い分野で利用されている。このような携帯端末機はユーザ機能提供のために多様な入力方式を提供している。例えば、従来携帯端末機はタッチパネルと表示部を含むタッチスクリーンを提供することによってユーザが表示部に出力される特定イメージを選択するために実行する作動をタッチパネルで処理することができる。さらに、上記携帯端末機は当該ユーザ動作によるタッチイベントを生成し、これに基づいてユーザ機能に対応する応用プログラムを制御している。
【０００３】
一方、従来携帯端末機はインターネット接続サービスを提供すると共に多様な情報提供サービスをサポートしている。例えば、従来インターネットに基づいて管理されるメッセンジャーサービスが携帯端末機上に搭載されて場所や時間の制限無しにリアルタイムでメッセンジャー機能を利用するようにサポートする。また、従来携帯端末機は多様な商品購買や特定商品に対する商品評などを検索するようにサポートしてユーザがより多様なサービスをより満足に利用するようにサポートしている。しかし、このようなインターネットに基づいたサービスを利用する過程中には正しい情報或いは正しくない情報を無分別に受信することができる。即ち、信頼できない出処を含む多様な出処から情報を受信する。これによってユーザは適切な情報の取捨選択が困難であった。これによって現在には自らが望む情報を明確に選別する作業が困難な実情である。
【発明の概要】
【発明が解決しようとする課題】
【０００４】
例えば、ユーザが正しくない情報を獲得して当該情報に基づいて特定商品を購買したり、特定サービスを利用する場合、当該商品やサービスに対して満足し難く、かつ財産上及び時間上に相当な被害を耐えるべき問題点があった。
【課題を解決するための手段】
【０００５】
上述した目的を果たすための本発明の好ましい実施形態によるソーシャル情報管理方法は、複数の携帯端末機がソーシャルネットワーキングに基づくソーシャル情報共有グループと指定される過程と、上記複数の携帯端末機のうちの少なくとも一つの携帯端末機が上記携帯端末機のユーザ機能管理のうちから選択されたり入力された少なくとも一つのアイテムを登録してソーシャル情報を生成する生成過程と、上記ソーシャル情報を相互指定された共有グループの携帯端末機が共有する共有過程と、を含むことを特徴とする。
【０００６】
本発明のソーシャル情報管理システムは、ソーシャルネットワーキングに基づく相互間のソーシャル情報共有グループと指定し、ユーザ機能管理のうちから選択されたり作成された少なくとも一つのアイテムを登録してソーシャル情報を生成した後、上記ソーシャル情報を相互指定された共有グループ内で共有する複数の携帯端末機、及び上記複数の携帯端末機が作成したソーシャル情報を相互携帯端末機に送信して共有するようにサポートする情報共有サーバを含むことを特徴とする。
【発明の効果】
【０００７】
本発明によれば、より信頼性ある情報を共有するようにサポートし、このような情報共有に基づいてより最適化されたサービス利用したり、或いは商品購買を実行するようにサポートするソーシャル情報運用方法及びシステムを提供することができる。
【図面の簡単な説明】
【０００８】
【図１】本発明の実施形態によるソーシャル情報管理システムの構成を概念的に示した図面である。
【図２】図１に示した携帯端末機の構成を概略的に示したブロック図である。
【図３】図２の携帯端末機構成のうちの制御部構成をより詳しく示した図面である。
【図４】本発明のソーシャル情報管理方法のうちで決済機能管理方法をより詳しく説明するためのフローチャートである。
【図５Ａ】本発明の実施形態によるソーシャル情報管理システムのうちの携帯端末機の表示部に出力されるソーシャル情報インターフェース出力画面を示した図面である。
【図５Ｂ】本発明の実施形態によるソーシャル情報管理システムのうちの携帯端末機の表示部に出力されるソーシャル情報インターフェース出力画面を示した図面である。
【図５Ｃ】は本発明の実施形態によるソーシャル情報管理システムのうちの携帯端末機の表示部に出力されるソーシャル情報インターフェース出力画面を示した図面である。
【図６Ａ】本発明の実施形態によるソーシャル情報インターフェースのアイテム出力形態の例を示した図面である。
【図６Ｂ】本発明の実施形態によるソーシャル情報インターフェースのアイテム出力形態の例を示した図面である。
【図６Ｃ】本発明の実施形態によるソーシャル情報インターフェースのアイテム出力形態の例を示した図面である。
【図６Ｄ】本発明の実施形態によるソーシャル情報インターフェースのアイテム出力形態の例を示した図面である。
【図７Ａ】共有されたソーシャル情報を統合的に提供する画面例示図である。
【図７Ｂ】共有されたソーシャル情報を統合的に提供する画面例示図である。
【図７Ｃ】共有されたソーシャル情報を統合的に提供する画面例示図である。
【図８Ａ】本発明の実施形態による位置に基づくソーシャル情報適用インターフェースを説明するための図面である。
【図８Ｂ】本発明の実施形態による位置に基づくソーシャル情報適用インターフェースを説明するための図面である。
【図８Ｃ】本発明の実施形態による位置に基づくソーシャル情報適用インターフェースを説明するための図面である。
【図８Ｄ】本発明の実施形態による位置に基づくソーシャル情報適用インターフェースを説明するための図面である。
【図８Ｅ】本発明の実施形態による位置に基づくソーシャル情報適用インターフェースを説明するための図面である。
【図８Ｆ】本発明の実施形態による位置に基づくソーシャル情報適用インターフェースを説明するための図面である。
【図８Ｇ】本発明の実施形態による位置に基づくソーシャル情報適用インターフェースを説明するための図面である。
【図８Ｈ】本発明の実施形態による位置に基づくソーシャル情報適用インターフェースを説明するための図面である。
【図８Ｉ】本発明の実施形態による位置に基づくソーシャル情報適用インターフェースを説明するための図面である。
【図９Ａ】複合的なアイテム関連情報が出力された画面及び特定アイテムの詳細情報画面を示した図面である。
【図９Ｂ】複合的なアイテム関連情報が出力された画面及び特定アイテムの詳細情報画面を示した図面である。
【図１０Ａ】位置に基づくアイテム情報アラームを説明するための図面である。
【図１０Ｂ】位置に基づくアイテム情報アラームを説明するための図面である。
【図１１Ａ】本発明のソーシャル情報に係るクーポンやマイレージ情報提供を説明するための図面である。
【図１１Ｂ】本発明のソーシャル情報に係るクーポンやマイレージ情報提供を説明するための図面である。
【図１１Ｃ】本発明のソーシャル情報に係るクーポンやマイレージ情報提供を説明するための図面である。
【図１２Ａ】本発明の実施形態によるソーシャル情報に基づく決済機能サポートを説明するための図面である。
【図１２Ｂ】本発明の実施形態によるソーシャル情報に基づく決済機能サポートを説明するための図面である。
【図１２Ｃ】本発明の実施形態によるソーシャル情報に基づく決済機能サポートを説明するための図面である。
【図１３Ａ】本発明の実施形態によるソーシャル情報に基づく財政マネージャー機能サポート画面を示した図面である。
【図１３Ｂ】本発明の実施形態によるソーシャル情報に基づく財政マネージャー機能サポート画面を示した図面である。
【図１４Ａ】本発明のソーシャル情報に基づくカード登録機能を説明するための図面である。
【図１４Ｂ】本発明のソーシャル情報に基づくカード登録機能を説明するための図面である。
【図１５】上述した本発明のソーシャル情報に基づく画面インターフェース転換を説明するための図面である。
【発明を実施するための形態】
【０００９】
以下、本発明の好ましい実施形態の詳細な説明が添付した図面を参照して詳しく説明する。以下の説明では、本発明の実施形態による動作を理解することに必要な部分だけ説明され、その他、本発明の要旨を不明瞭にする公知機能及び構成に関する説明は省略する事に留意されたい。
【００１０】
以下で後述する本明細書及び請求範囲に使用された用語や単語は通常的や辞書的な意味に限定して解釈されてはならなく、発明者はその自らの発明を最も最善の方法で説明するために用語の概念で適切に定義することができるという原則に即して本発明の技術的思想に符合する意味と概念に解釈されなければならない。従って、本明細書に記載された実施形態及び図面に示された構成は本発明の最も好ましい実施形態に過ぎず、本発明の技術的思想を全て代弁するものではないので、本出願時点においてこれらを取り替えることができる多様な均等物と変形形態があり得ることを理解されたい。
【００１１】
図１は、本発明の実施形態によるソーシャル情報管理システムの構成を概念的に示した図面である。
【００１２】
上記図１を参照すれば、本発明のソーシャル情報管理システム１０は、情報共有サーバ２００及び多数の携帯端末機１０１、１０２、１０３、１０４を含む。
【００１３】
上記構成を有する本発明のソーシャル情報管理システム１０は、多数の携帯端末機１０１、１０２、１０３、１０４がソーシャル情報を情報共有サーバ２００に入力し、入力されたソーシャル情報を上記情報固有サーバ２００に登録して一定グループ内の他の携帯端末機１０１、１０２、１０３、１０４の間で共有するようにサポートする。ここで一定グループ内の携帯端末機１０１、１０２、１０３、１０４は多様な形態に定義されることができる。例えば、上記一定グループ内の携帯端末機１０１、１０２、１０３、１０４はそれぞれの携帯端末機のユーザがソーシャル情報共有を許容することができるように指定する場合、一つのグループに含まれる。
【００１４】
上記情報共有サーバ２００は、図示された図面に基づいて第１乃至第４携帯端末機１０１、１０２、１０３、１０４が一つのソーシャル情報共有グループで相互指定した場合、第１乃至第４携帯端末機１０１、１０２、１０３、１０４が作成したソーシャル情報を各携帯端末機から受信して記憶する。さらに、上記情報共有サーバ２００は記憶されたソーシャル情報を第１乃至第４携帯端末機１０１、１０２、１０３、１０４に交差送信することによってソーシャル情報を各携帯端末機１００が相互共有するようにサポートする。また、上記情報共有サーバ２００は各携帯端末機１００がソーシャル情報を更新する場合、更新された情報をリアルタイムまたは各携帯端末機１００の要請時点に適用し、更新されたソーシャル情報を同一グループ内の他の携帯端末機に送信してソーシャル情報を更新するようにサポートすることができる。また、上記情報共有サーバ２００は各携帯端末機１００の設定によってウェブまたはインターネット接続が可能な他の機器によって入力されたソーシャル情報の接近をサポートし、特定携帯端末機のリクエストに応じて当該ソーシャル情報を提供できる。このようなソーシャル情報の入力は、キーボードや他の入力装置を通じて特定携帯端末機で入力されることもできる。また、上記情報共有サーバ２００は、各携帯端末機１００のウェブサービス利用によってソーシャル情報が変更される場合、当該ソーシャル情報の更新及び伝播することができる。
【００１５】
上記携帯端末機１００は、情報共有サーバ２００に基づいてそれぞれが作成したソーシャル情報を相互共有することができる。これのために上記携帯端末機１００はソーシャル情報を作成し、作成されたソーシャル情報を相互共有する他の携帯端末機を指定する情報を情報共有サーバ２００に提供する。これによって情報共有サーバ２００は相互指定が許容された携帯端末機の間にソーシャル情報を共有することができる。さらに、携帯端末機１００は特定ユーザ機能を管理する場合、共有されたソーシャル情報が適用されたユーザ機能管理をサポートする。例えば、第１携帯端末機１０１のユーザがウェブ接続に基づいて特定商品またはサービスの購買情報及び特定商品またはサービスに対する利用後記などを含む第１ソーシャル情報を作成することができる。この際、第１ソーシャル情報は情報共有サーバ２００に基づいて同一グループに含まれた第２携帯端末機１０２に共有されることができる。これによって、第２携帯端末機１０２のユーザは同一商品またはサービスを指定したり購買しようとする場合、第１ソーシャル情報が提供する商品またはサービス情報を事前に検討して当該商品が自らの趣向や意図に符合されるかどうかを把握する。このように本発明の携帯端末機１００は限定され制限されたグループ内のソーシャル情報を共有することによって、信頼性が高い情報を早く獲得することができ、これに基づいてより適切なサービス利用を実行することができる。この過程で各携帯端末機ユーザはソーシャル情報を共有するグループを指定する過程で事前にグループついた他の携帯端末機のユーザに対する情報認識が前提されるので、別途の努力がなくても共有するソーシャル情報に対する高い信頼度を持つことができる。以下、上記携帯端末機のうちで特定携帯端末機を基準で本発明のソーシャル情報共有、及びこれに基づくサービス活用に対してより詳しく説明する。以下の説明では上述した各携帯端末機は携帯端末機として名付けて、これを代表として本発明のソーシャル情報管理に対して説明する。
【００１６】
図２は、本発明の実施形態による携帯端末機１００の構成を概略的に示したブロック図である。
【００１７】
上記図２を参照すれば、本発明の携帯端末機１００は、無線通信部１１０、入力部１２０、オーディオ処理部１３０、表示部１４０、記憶部１５０及び制御部１６０の構成を含む。以下の説明で本発明のアイコン変更機能管理のための信号発生の入力手段は、タッチスクリーン機能の表示部１４０及び入力部１２０等となることができる。
【００１８】
このような構成を有する本発明の携帯端末機１００は、ソーシャル情報生成、共有、共有されたソーシャル情報に基づくユーザ機能管理をサポートする。これのために本発明の携帯端末機１００は、ソーシャル情報生成のためのプログラム、生成されたソーシャル情報共有をサポートするプログラム、共有されたソーシャル情報に基づく機能適用のためのプログラムを統合したソーシャル情報管理プログラム１５１を提供することができる。上記ソーシャル情報管理プログラム１５１は、記憶部１５０に記憶されて、制御部１６０によって作動する。以下、本発明のソーシャル情報管理のための各携帯端末機１００構成の役目と機能に対してより詳しく説明する。
【００１９】
上記無線通信部１１０は、音声通話のための通信チャンネル形成及び画像通話のための通信チャンネル形成、画像やメッセージなどのデータ送信のための通信チャンネル形成などを制御部１６０の制御下に実行する。即ち、無線通信部１１０は、音声通話チャンネル、データ通信チャンネル及び画像通話チャンネルを移動通信システムの間に形成する。これのために上記無線通信部１１０は、送信される信号の周波数を上昇変換及び増幅する無線周波数送信部と、受信される信号の周波数を低雑音増幅及び下降変換する無線周波数受信部等を含む。特に、本発明の無線通信部１１０は、情報共有サーバ２００とデータ通信チャンネル形成を実行することができ、さらにインターネットに基づく多様なサービス提供サーバとデータ通信チャンネル形成を実行することができる。これをより詳しく説明すれば、ユーザが携帯端末機の機能管理に基づいてソーシャル情報を作成、入力または選択すると、作成、入力または選択されたソーシャル情報は、上記無線通信部１１０が形成したデータ通信チャンネルを通じて情報共有サーバ２００に送信されることができる。さらに、無線通信部１１０が上記情報共有サーバ２００から他の携帯端末機が作成して登録したソーシャル情報を受信することができる。この際、送受信されるソーシャル情報は、情報共有サーバ２００が提供する特定グループ内に限って共有されることができ、携帯端末機を設定するか否かによってウェブに基づく仮想空間または他の遠隔記憶装置またはネットワークに伝播される。一方、上記無線通信部１１０は、外部から購入情報、セール情報、イベント情報、クーポン情報、広告情報のうちの少なくとも一つを受信することができる。この場合、上記無線通信部１１０は相対的に近い電子機器の間の交信のための近距離通信モジュールの形態から構成されてもよい。
【００２０】
上記入力部１２０は、数字または文字情報が入力されて各種機能を設定するための多数の入力キー及び機能キーを含む。上記機能キーは特定機能を実行するように設定された方向キー、サイドキー及びショートカットキーなどを含むことができる。また、上記入力部１２０はユーザ設定及び携帯端末機１００の機能制御に係るキー信号を生成して上記制御部１６０へ伝達する。このような入力部１２０は多数個のキーを含むクワーティキーパッド、３＊４キーパッド、４＊３キーパッド等で具現されてもよい。また、上記入力部１２０は表示部１４０上に出力されるクワーティキーマップ、３＊４キーマップ、４＊３キーマップ、メニューマップ、制御キーマップなどから具現されてもよい。さらに、入力部１２０は、上記携帯端末機１００の表示部１４０がフルタッチスクリーン形態にサポートされる場合、上記携帯端末機１００のケース側面に形成されるサイドキーのみを含むこともできる。特に本発明の入力部１２０は、ソーシャル情報作成、入力または選択のための入力信号、上記作成、入力または選択されたソーシャル情報共有を指示する入力信号、共有されたソーシャル情報が適用される特定ユーザの機能活性化のための入力信号、活性化されたユーザ機能管理のための入力信号を生成することができる。このように生成された入力信号は制御部１６０に伝達して本発明のソーシャル情報に基づく多様なユーザサービスサポートのための命令語として作動することができる。
【００２１】
図２の上記オーディオ処理部１３０は、通話の際、送受信されるオーディオデータ、受信されたメッセージに含まれたオーディオデータ、記憶部１５０に記憶されたオーディオファイル再生によるオーディオデータなどを出力するためのスピーカー（ＳＰＫ）と、通話の際、ユーザの音声またはその他のオーディオ信号を収集するためのマイク（ＭＩＣ）を含む。このようなオーディオ処理部１３０は、ソーシャル情報管理過程に必要な多様な音響情報を提供する。上記携帯端末機１００は、ソーシャル情報が適用される特定ユーザ機能の音響情報サポートのために事前設定された多様なオーディオ情報を記憶することができる。記憶されたオーディオ情報は、当該ユーザ機能活性化の際、記憶された設定によって出力されることができる。
【００２２】
上記携帯端末機１００がタッチスクリーンから構成される場合、上記表示部１４０は表示パネル及びタッチパネルを含むことができる。このような表示部１４０は表示パネル前面にタッチパネルが配置される構造を有することができる。上記表示部１４０の大きさはタッチパネルの大きさで決定されることができる。
【００２３】
上記表示パネルは携帯端末機１００に接続して使用するための各種メニューを含むユーザが入力した情報またはユーザに提供する情報を表示する。即ち、表示パネルは携帯端末機１００の利用による多様な画面、例えば、待機画面、メニュー画面、メッセージ作成画面、通話画面などを提供することができる。このような表示パネルは液晶表示装置（Ｌｉｑｕｉｄ  ｃｒｙｓｔａｌ  Ｄｉｓｐｌａｙ）、ＯＬＥＤ（Ｏｒｇａｎｉｃ  Ｌｉｇｈｔ  Ｅｍｉｔｔｅｄ  Ｄｉｏｄｅ）等から形成されることができる。さらに、表示パネルはタッチパネル上部または下部に配置されてもよい。特に、本発明の表示パネルはソーシャル情報作成、共有、機能適用に該当する多様な画面を出力することができる。上記多様な画面に対しては後述する図面を参照してより詳しく説明する。
【００２４】
上記タッチパネルは上記表示パネルの上下部のうちの少なくとも１ヶ所に配置されてタッチ物体、例えばユーザの指接触によってタッチイベントを生成し、生成されたタッチイベントを制御部１６０に伝達することができる。この際、タッチパネルを構成するセンサーはマトリックス状に配列され、タッチパネル上で発生するタッチイベントに対して当該位置情報とタッチイベントの種類に対する情報が制御部１６０に伝達する。特に本発明のタッチパネルはソーシャル情報作成、共有、機能適用に該当する画面によってセッティングされることができる。セッティングされたタッチパネルは、ユーザタッチによるタッチイベントを生成してこれを制御部１６０に伝達することができる。
【００２５】
上記記憶部１５０は、本発明の実施形態による機能動作に必要な応用プログラムを含み、上記表示部１４０の管理のためのキーマップやメニューマップなどを記憶することができる。ここでキーマップ、メニューマップはそれぞれ多様な形態となることができる。即ち、キーマップはキーボードマップや、３＊４キーマップ、クワーティキーマップなどからなることができ、現在活性化されている応用プログラムの管理制御のための制御キーマップとなることができる。また、メニューマップは現在活性化されている応用プログラム管理制御のためのメニューマップとなることができる。このような上記記憶部１５０はプログラム領域及びデータ領域を含むことができる。
【００２６】
上記プログラム領域は携帯端末機１００のブーティング及び上述した各構成の管理のためのＯＳ（Ｏｐｅｒａｔｉｎｇ  Ｓｙｓｔｅｍ）、多様なファイルを再生するための応用プログラム、例えば、上記携帯端末機１００の通話機能サポートのための応用プログラム、インターネットサーバに接続するためのウェブブラウザー、その他、音源を再生するためのＭＰ３アプリケーション、写真等を再生するためのイメージ出力応用プログラム、動画像再生応用プログラムなどを記憶することができる。特に、本発明のプログラム領域はソーシャル情報管理プログラム１５１を記憶する。
【００２７】
上記ソーシャル情報管理プログラム１５１は、上述したようにソーシャル情報生成のためのルーチン、生成されたソーシャル情報共有をサポートするルーチン、共有されたソーシャル情報に基づく機能適用のためのルーチンを含む。ソーシャル情報生成のためのルーチンは、ソーシャル情報インターフェース出力サブルーチンを含む。上記ソーシャル情報インターフェースはソーシャル情報として特定商品またはサービスに関するアイテムを選択及び登録したり、特定情報を当該アイテムにリンクさせて新たに記入したり予め登録された情報を訂正または削除するなどの機能サポートを実行する。
【００２８】
ユーザはソーシャル情報として、携帯端末機の特定機能を実行するユーザインターフェースから選択されるアイテムのうち少なくとも一つを登録することができる。よって、ソーシャル情報は携帯端末装置を用いて発生し、使用者によって選択される多様な情報のうちのいずれか１のアイテムであってもよい。
【００２９】
ソーシャル情報共有をサポートするルーチンは作成、入力または選択されたソーシャル情報を情報共有サーバ２００に送信するサブルーチン、情報共有サーバ２００が送信する他のソーシャル情報を更新するサブルーチンを含むことができる。機能適用のためのルーチンは携帯端末機１００が提供するユーザ機能のうちでソーシャル情報適用が必要な機能を確認するサブルーチン、当該機能活性化の際、上記記憶されたまたは情報共有サーバ２００が提供するソーシャル情報を当該機能に適用するサブルーチンを含む。
【００３０】
上記データ領域は、携帯端末機１００の使用によって発生するデータが記憶される領域として、フォンブックデータ、ウィゼット機能による少なくとも一つのアイコン及び多様なコンテンツを記憶することができる。また、上記データ領域は上記タッチパネルを通じて入力されるユーザ入力を記憶することができる。特に、上記データ領域は共有グループと定義された携帯端末機が登録したソーシャル情報を記憶することができる。記憶されたソーシャル情報をリアルタイムまたは一定周期、情報共有サーバ２００が指示する時点ごとに更新されることができる。
【００３１】
上記制御部１６０は、上記携帯端末機１００の各構成に電源供給を制御して初期化過程を実行するようにサポートする。さらに、上記制御部１６０は本発明のソーシャル情報の作成、入力または選択と上記ソーシャル情報の共有及び上記ソーシャル情報のフィルターリングまたは編集する機能適用に必要な多様な信号流れを制御することができる。これのために制御部１６０は図３に示したような構成を含むことができる。
【００３２】
図３は本発明の制御部１６０の構成をより詳しく示した図面である。
【００３３】
上記図３を参照すれば、本発明の制御部１６０はソーシャル情報管理部１６１、ソーシャル情報共有部１６３、ソーシャル情報適用出力部１６５を含む。
【００３４】
上記ソーシャル情報管理部１６１は、ソーシャル情報インターフェース出力をサポートし、ユーザ制御によってユーザが選択した特定アイテムをソーシャル情報に登録及び管理する。さらに、ソーシャル情報管理部１６１は特定アイテムに対するユーザ情報記入が発生すると記入された情報を当該特定アイテムにリンクして共に記憶・管理することができる。そしてソーシャル情報管理部１６１は、ソーシャル情報共有部１６３が情報共有サーバ２００から受信した他の携帯端末機の他のソーシャル情報を記憶管理することができる。また、ソーシャル情報管理部１６１は共有グループ設定のための機能サポートを実行することができる。例えば、携帯端末機ユーザは自らのフォンブックに登録された友達や家族など自らが望むユーザを共有グループと指定することができる。上記ソーシャル情報管理部１６１は、ユーザが特定友達や家族を共有グループと指定する場合、これを情報共有サーバ２００に送信する。情報共有サーバ２００はグループ指定に対する情報を当該友達や家族に送信する一方、ユーザが作成、入力または選択したソーシャル情報を当該友達や家族に登録された携帯端末機に送信するようにサポートすることができる。この際、情報共有サーバ２００は当該友達や家族が同意する場合、友達や家族が作成、入力または選択したソーシャル情報を上記ユーザの携帯端末機１００に送信する。このような方式でユーザが指定した個人的な共有グループが形成されると、共有グループに属したユーザは各自のソーシャル情報を作成して共有することができる。
【００３５】
上記ソーシャル情報共有部１６３は、ソーシャル情報管理部１６１によって管理されるソーシャル情報が新たに生成されたり、新たに更新される場合、当該ソーシャル情報を情報共有サーバ２００に送信する。そして、ソーシャル情報共有部１６３は情報共有サーバ２００から他のソーシャル情報の更新要請が発生すれば、当該ソーシャル情報を受信してソーシャル情報管理部１６１に伝達することができる。すると、ソーシャル情報管理部１６１は予め記憶された当該ソーシャル情報を新たに受信したソーシャル情報で更新する。上記ソーシャル情報共有部１６３は、ユーザのリクエストに応じてソーシャル情報のうちから非公開と設定された情報は共有させないようにサポートする。
【００３６】
上記ソーシャル情報適用出力部１６５は記憶された、或いは情報共有サーバ２００から受信するソーシャル情報をユーザリクエストに応じて表示部１４０に出力する。また上記ソーシャル情報適用出力部１６５は、ソーシャル情報管理部１６１が記憶したソーシャル情報を特定ユーザ機能に適用して、適用されたユーザ機能の画面出力またはオーディオ出力を制御する。例えば、ユーザがウェブページなどで特定情報を検索する場合、上記ソーシャル情報適用出力部１６５は予め記憶されたソーシャル情報を検索して当該情報と関連があるアイテムを検索し、関連されたアイテムと検索中の情報を共に表示部１４０に出力することができる。ここで表示部１４０に出力される情報はアイテムの商品またはサービス情報、購買情報、レビュー情報、当該アイテムの購買位置情報など多様な情報を含むことができる。
【００３７】
また、ソーシャル情報適用出力部１６５は、特定商品またはサービス購買機能活性化の際、ソーシャル情報を検索して当該ソーシャル情報に基づいて適切な決済手段またはメカニズムが選択されることができるようにサポートすることができる。これのために上記ソーシャル情報は携帯端末機ユーザが登録したクレジットカード、チェックカードなどのような多様なカード情報を含んでもよい。上記カード情報はソーシャル情報として登録されるが保安性のために共有されないように設定されてもよい。
【００３８】
図４は本発明のソーシャル情報管理方法のうちで決済機能サポート方法をより詳しく説明するためのフローチャートである。
【００３９】
上記図４を参照すれば、本発明のソーシャル情報に基づく決済機能サポート方法は先ずユーザリクエストに応じて４０１段階のようにソーシャル情報に基づく特定ユーザ機能が管理される。ここでユーザ機能は決済機能と関連がある機能として、例えば商品購買機能となることができる。ユーザは携帯端末機１００を管理して特定商品またはサービスを販売するウェブサイトに接続することができ、上記携帯端末機１００の制御部１６０は当該ウェブサイトから少なくとも一つの購買可能な商品またはサービスを含むウェブページをダウンロードすることができる。ウェブページダウンロードが完了すると、制御部１６０は当該ウェブページを表示部１４０に出力する。一方、上記制御部１６０は当該ウェブページ上に出力される多様なアイテムのうちでユーザがソーシャル情報で登録するために少なくとも一つのアイテムを選択する場合、選択された少なくとも一つのアイテムを含むソーシャル情報が作成、入力または選択される。
【００４０】
一方、上記制御部１６０は４０３段階でソーシャル情報に登録された特定アイテムに対して決済機能活性化のためのイベントであるか否かを確認することができる。即ち、上記制御部１６０はユーザがソーシャル情報上に登録した特定商品またはサービスを選択した後、当該商品を携帯端末機１００を利用して決済するかどうかを確認することができる。
【００４１】
決済機能イベントが発生しない場合、上記制御部１６０は４０１段階以前に分岐して活性化されたユーザ機能管理をサポートしたり、当該イベントによって機能管理をサポートすることができる。上記携帯端末機ユーザは上述した機能を通じて自らが購買したい商品またはサービスのリストをソーシャル情報に登録する。
【００４２】
一方、上記制御部１６０は決済機能活性化のためのイベントが発生すると４０５段階に分岐してユーザによって事前登録されたカード決済情報を確認する。さらに、上記制御部１６０は４０７段階でカードに対して設定条件による差等的順位付与を実行する。これをより詳しく説明すると、上記制御部１６０はカードの決済情報を累積記憶し、一定制限条件があるカードに対する情報を確認して制限条件を満足するカードに対する優先順位を付与する。この際、制限条件は毎月の設定金額以上決済すべきカード条件、特定商品またはサービスまたは特定ウェブサイトで商品購買の際、一定割引率が適用されるカード条件、積立されたマイレージ適用が可能なカード条件、当該商品またはサービス購買を通じて積立されるマイレージ条件など多様な条件となることができる。上記制御部１６０は上述した多様な制限条件に対して各カード別で一定優先順位を提供した後、総合的な差等的順位を各カードに付与する。さらに、制御部１６０は順位が付与されたカード情報を表示部１４０に出力するようにサポートしてユーザが特定カードで決済を実行するようにサポートすることができる。
【００４３】
以後、制御部１６０は４０９段階で特定カード選択のための入力信号が発生する場合、４１１段階に分岐して選択されたカードで当該商品またはサービス決済過程を実行するようにサポートしてもよい。この過程で上記制御部１６０は決済のための認証情報入力過程と入力された認証情報の送信と認証、確認、決済承認による画面などを表示部１４０に出力する。一方、上記制御部１６０は４０９段階で特定カード選択がない場合、４０３段階以前に分岐して以下過程を繰り返し的に実行する。
【００４４】
４１１段階以後、上記制御部１６０は、４１３段階に分岐して追加決済するか否かを確認し、追加決済のためのイベント発生がある場合、４０５段階以前に分岐して以下の過程が実行されるようにサポートすることができる。別途の追加決済イベント発生がない場合、制御部１６０は４０１段階以前に分岐して以下過程が実行される。
【００４５】
一方、上記制御部１６０は決済が完了すると、ソーシャル情報に登録されたアイテム情報を更新する。即ち、上記制御部１６０はソーシャル情報に購買しようとするアイテムを購買したアイテムで情報変更することができる。この際、ユーザ設定によって購買しても当該アイテムに対するソーシャル情報更新が実行されないこともある。また、上記制御部１６０は当該商品に対する商品評が入力される場合、ソーシャル情報上に商品評情報を当該アイテムにリンクさせて記憶する。このような商品購買に対する情報更新が発生する場合、ソーシャル情報の更新が発生する。さらに、更新されたソーシャル情報は情報共有サーバ２００へ送信されて共有グループに属する他の携帯端末機に送信されて情報共有が発生することができる。一方、特定商品を購買しないとしてもソーシャル情報上に購買しようとする、或いは欲しい商品をアイテムリストを登録する場合、上記制御部１６０は当該ソーシャル情報を更新し、更新されたソーシャル情報を情報共有サーバ２００へ送信して共有する。
【００４６】
上述したように本発明の実施形態による携帯端末機１００は、ユーザがソーシャル情報に基づいて特定アイテムを新しく登録する場合、或いは登録されたアイテムを購買する場合、ソーシャル情報を更新し、これを共有グループ内の他の携帯端末機と共有する。上述した過程で上記制御部１６０は記憶部１５０に記憶された他のソーシャル情報を検索してユーザが選択したアイテム、即ち、商品に係る情報があるのか否かを確認し、当該情報が存在する場合、これを表示部１４０に出力する。情報がない場合、上記制御部１６０は関連情報ない事に該当する情報を出力する。
【００４７】
一方、ユーザは、情報共有サーバ２００に指定された共有グループ以外のウェブ上に当該商品またはサービスに係る情報が存在するのかリクエストすることができ、情報共有サーバ２００はユーザが指定した商品関連情報が存在する場合、これを検索して当該情報を携帯端末機１００へ送信する。これによって、上記携帯端末機ユーザは優先的に信頼度が高い共有グループリスト内で商品関連情報を検索することができ、ユーザ選択によって相対的に信頼度が低いウェブ空間が提供する商品関連情報を検索することもできる。
【００４８】
上述したように本発明の実施形態によるソーシャル情報管理方法及びシステム１００は、個別的で信頼度が高い携帯端末機ユーザから構成された共有グループ形成をサポートし、当該共有グループを通じて相互間の嗜好や必要による情報を含むソーシャル情報を作成、入力または選択して共有するようにサポートする。これによってユーザは特定アイテムに係る関連情報、例えば共有グループ内に他の携帯端末機ユーザの購買評や購買事実、利用後記、購買場所、購買価格などをより容易に獲得することができる。実質的に、特定ユーザには特定商品がたくさん売れたり、少なく売れた事実よりは知人が当該商品の購買或いは非購買をより重要に思うことができ、さらに、そういう事実に対する信頼度を統計的な事実より高く認識することができる。従って、本発明の方法及び装置はこのようなユーザ別の特化された情報交換と共有を通じてより自らの嗜好に合う、或いは自らの趣向に合う商品またはサービス利用が可能になるようにサポートする。また、本発明の方法及び携帯端末機は特定商品やサービス利用過程でより体系的でかつ効率的なカード使用を誘導することができる。上述した説明では商品購買に対して限定的に説明したが、本発明は商品だけではなく特定場所、当該場所で提供されるサービスなどに係る事項に対しても適用可能である。
【００４９】
以上では本発明の実施形態によるソーシャル情報管理システムと、これに基づいた管理方法に対して説明した。以下では本発明のソーシャル情報管理に対して多様な画面例示図を通じてより詳しく説明する。
【００５０】
図５Ａ−５Ｃは、本発明の実施形態によるソーシャル情報管理システムのうちの携帯端末機の表示部に出力されるソーシャル情報インターフェース出力画面を示した図面である。
【００５１】
上記図５を参照すれば、本発明のソーシャル情報インターフェースはウィゼットアイコンやメニューアイコンなどで表示部１４０に出力され、ウィゼットアイコンやメニューアイコン選択の際、図５Ａ画面を参照すれば、上記ソーシャル情報インターフェースが表示部１４０に出力される。一方、上記ソーシャル情報インターフェースは別途のウィゼットアイコンやメニューアイコンに出力されず背景画面に特定領域が割り当てられて固定的に出力されてもよい。ソーシャル情報インターフェースは図示したようにユーザが多様な経路、例えばウェブ検索、位置検索、コード検索などを通じて検索されたアイテムのうちでユーザがソーシャル情報で登録するために選択されたアイテムを含むことができる。例えば、ユーザは図５Ｂ画面のように携帯端末機１００を利用して場所検索を実行して特定レストランを検索した場合、当該レストラン情報をソーシャル情報として登録することができる。また上記ユーザは図５Ｃ画面のように携帯端末機１００を利用してカフェー検索及び当該カフェーに係る住所や番地などのようなコード検索を実行した場合、上記検索されたカフェー情報とコード情報をソーシャル情報で登録することができる。これのために制御部１６０はソーシャル情報登録のための機能キーが含まれた画面を出力する。
【００５２】
図６Ａ−６Ｄは、本発明の実施形態によるソーシャル情報インターフェースのアイテム出力形態の例を示した図面である。
【００５３】
図６Ａ画面のように制御部１６０はソーシャル情報インターフェース構成の際、ユーザが登録したソーシャル情報アイテムの個数情報を出力するようにサポートし、各アイテムに対する要約情報を有するリストを含むようにサポートすることができる。ここで上記制御部１６０は、携帯端末機１００の位置確認サービスを利用して現在位置で当該アイテムを購買することができる売場、或いは当該アイテムに関するサービスを利用することができる場所までの距離情報と、当該アイテム関連価格情報及び当該アイテム関連フィードバック情報が存在するか否かなどを各アイテム別で出力することができる。例えば、アップル社の「ｉＰａｄ」アイテムの場合、当該アイテムを販売する場所が携帯端末機１００の現在位置から３００ｍ離隔された位置にあり、価格は４９９ドルであり、３個のフィードバック情報が存在することを指示している。ここでフィードバック情報は上述したように携帯端末機ユーザが事前に共有グループリストと指定した他の携帯端末機ユーザが事前に当該アイテムに関連して登録したものとなることができる。ここで上記フィードバック情報は、ユーザの信頼度調整幅に応じて変わることができるのに、例えば、最も高い信頼度と設定された場合、上述したように指定された共有グループリスト内に登録された情報だけがフィードバック情報として当該アイテムにリンクされることができる。また、ユーザが信頼度を調整する場合、上記共有グループリスト内の登録された情報と共に指定された共有グループリスト以外に指定されたウェブサーバなどが提供する当該アイテム関連情報がフィードバック情報に登録されることができる。  
【００５４】
一方、上記制御部１６０は、図６Ｂ画面のようにソーシャル情報インターフェースを特性別で分類して提供することができる。即ち、図示したようにソーシャル情報インターフェースは「ａｌｌ、Ｇｏｕｒｍｅｔ、ｆａｓｈｉｏｎ、ｆｅｅｄｓ」アイテムを含み、特定アイテムが選択される場合、当該アイテムに係る情報を表示部１４０に出力するようにサポートすることができる。例えば、図６Ｂ画面のように「Ｇｏｕｒｍｅｔ」が選択されると制御部１６０はソーシャル情報に登録されたアイテムを地域別で表示するように地図情報と当該アイテムの位置情報を表示部１４０に出力する。そして制御部１６０は図６Ｃ画面のようにユーザが「ｆｅｅｄｓ」を選択する場合、ソーシャル情報のうちでフィードバック情報がリンクされたアイテムのリストを整理して表示部１４０に出力する。また、図６Ｄ画面のように、ユーザが「Ｐｒｉｃｅ」タブを選択する場合、制御部１６０は示したように特定アイテムの価格情報に係る情報をより詳しく出力する。
【００５５】
上述した説明でソーシャル情報は、ユーザ設定によって特定ユーザが作成、入力または選択したソーシャル情報だけで限ることができ、これによって上記制御部１６０は当該ソーシャル情報に含まれたアイテムだけを前述した方式に応じて表示部１４０に出力される。また、上記制御部１６０はユーザ設定によって共有グループ内に共有された全体ソーシャル情報に含まれたアイテムが上述した方式に応じて表示部１４０に出力される。
【００５６】
ユーザは自らが作成、入力または選択したソーシャル情報だけでなく共有グループで他のユーザが作成、入力または選択したソーシャル情報を確認することができ、他のユーザのソーシャル情報に含まれた特定アイテムの詳細情報検索を実行することができる。これのために上記制御部１６０は、特定アイテムに係る詳細情報をアイテム登録の際、リンクさせて記憶する。一方、ユーザは特定アイテムに対して非公開アイテムでソーシャル情報に登録することができ、この場合、当該非公開アイテムに関する情報は共有されないこともある。
【００５７】
ここで上記詳細情報は、当該商品またはサービスの詳細スペックのような情報及び比較情報、ソーシャルネットワーキングを通じる共有された情報、当該アイテムを購買した友達リスト、オンライン及びオフライン購買処情報、最低価、価格変動推移、購買処間価格比較情報、各個人が作成したメモ、アイテムに係るウェブ情報、ユーザ登録関心アイテムに係る広告やイベント情報、関心商品を登録した日付、位置、日程情報、類似商品及びサービス検索情報、当該商品及びサービスに係るソーシャル検索情報などを含んでもよい。これに関し、ユーザがソーシャル情報リストで特定アイテムを選択し、当該アイテムに対して詳細表示をリクエストする場合、制御部１６０は当該アイテムに係る詳細情報画面を出力することができる。この際、上記詳細情報画面は選択されたアイテムに関する多様な情報をタブ形式で提供することができる。例えば、ユーザが「ｆｅｅｄｓ」タブを選択する場合、制御部１６０は図６Ｃ画面のようにフィードバック情報の簡略表示形態で上記詳細情報画面を構成する。これのために上記制御部１６０は共有されたソーシャル情報で当該アイテムに係るフィードバック情報があるのか検索し、検索されたフィードバック情報で詳細情報画面を構成する。
【００５８】
またユーザが「Ｐｒｉｃｅ」を選択する場合、制御部１６０は図６Ｄ画面のように価格情報に対する詳細情報画面を構成する。これのために上記制御部１６０は当該アイテムの特定情報、例えば名称情報に基づいてウェブ検索を実行して、ウェブ検索中に検索された多様な価格情報に基づいて詳細情報画面を構成する。
【００５９】
図７Ａ−７Ｃは、本発明の共有されたソーシャル情報を統合的に提供する画面を示したものである。
【００６０】
上記図７を参照すれば、共有グループで６名のユーザ携帯端末機が指定され、各ユーザがソーシャル情報を作成して共有するように提供する場合、図７Ａ画面のように制御部１６０は共有されたソーシャル情報を統合的に確認することができるソーシャル情報統合インターフェース３０を提供することができる。ソーシャル情報統合インターフェース３０は、各ユーザ別の区分情報、例えばユーザ別で登録した写真情報、各ユーザが登録したアイテム情報、例えば各アイテムに係るアイコン情報を含むアイテムを出力することができる。ここで上記ソーシャル情報統合インターフェース３０上に出力される各ソーシャル情報アイテムの配置は、ソーシャル情報更新時点によって決決定されたり、ユーザの設定によって決定される。またはアイテム配置は現在携帯端末機に基づくソーシャルネットワーキングの接続状態によって決定されたりランダムに決定されてもよい。
【００６１】
図７Ａ画面で、特定ユーザがソーシャル情報リストとして登録した特定アイテムをユーザが指定する場合、図７Ｂ画面のように当該特定アイテムの詳細情報画面を表示部１４０に出力する。詳細情報画面は図６Ａから図６Ｄまで説明したように多様な分類タブを含むことができ、特定タブが選択されると当該タブに係る情報が出力された形態で表示されることができる。
【００６２】
一方、本発明のソーシャル情報管理システム１０で携帯端末機１００は図７Ｃ画面のようにプレゼントする機能をサポートすることができる。第１ユーザは共有されたソーシャル情報のうちで特定ユーザが購買するために登録したアイテムを自らが決済した後、当該アイテムを特定ユーザにプレゼントする方式で伝達する。これのために上記第１ユーザが他のソーシャル情報に含まれたアイテムを選択し、当該アイテムに対する決済機能を選択する場合、制御部１６０は前述したように決済機能管理をサポートする。上記制御部１６０は、決済が完了すると特定ユーザに当該アイテムに対するプレゼントするメッセージを当該プレゼントを受けたユーザの携帯端末機に送信する。この際、特定ユーザの携帯端末機表示部１４０には示したようにメッセージが出力される。
【００６３】
また、第１ユーザが第２ユーザに特定アイテムプレゼントすることをリクエストすることもできる。これをより詳しく説明すれば第１ユーザは自らが登録したソーシャル情報のうちに特定アイテムに対して第２ユーザがプレゼントすることを自らの携帯端末機を利用してリクエストすることができる。これのために第１ユーザは携帯端末機のソーシャル情報統合インターフェース上で自らが登録したアイテムに該当するアイコンをドッラグなどを通じて第２ユーザリストに移動させる作動を実行することができる。すると、制御部１６０はプレゼントリクエストに関する入力信号生成と判定し、当該アイテムに対するプレゼントリクエストメッセージを作成して第２ユーザの携帯端末機に送信する。すると、第２ユーザの携帯端末機表示部には図７Ｃ画面のようにメッセージが出力されることができる。追加で第２ユーザが当該メッセージ受諾を実行する場合、前述したように決済機能過程が実行されることができ、決済が完了するとプレゼントするメッセージが第１ユーザの携帯端末機に送信されることができる。
【００６４】
上述したように本発明のソーシャル情報共有機能は、共有グループに属したユーザの間の登録アイテム確認機能、特定アイテムに係る情報フィードバック送受信を通じる情報共有機能、特定アイテムを自らのアイテムで登録したり当該アイテムを購買したユーザ検索機能、ソーシャルフィードバックに対するアラーム機能、登録されたアイテムに対する他のユーザの選好度の調査機能、他のＳＮＳ（Ｓｏｃｉａｌ  Ｎｅｔｗｏｒｋｉｎｇ  Ｓｅｒｖｉｃｅｓ）リンクを通じて情報拡張及び共有機能、当該ソーシャルネットワークにユーザの接続回数などの情報に基づいた統計機能、アイテム検索に基づいた新しいユーザの共有グループ迎入機能などをサポートすることができる。
【００６５】
図８Ａ−８Ｉは本発明の実施形態による位置に基づくソーシャル情報適用インターフェースを説明するための図面であり、図９Ａ−図９Ｂは複合的なアイテム関連情報が出力された画面及び特定アイテムの詳細情報画面を示したものであり、図１０Ａ−１０Ｂは位置に基づくアイテム情報アラームを説明するための図面である。
【００６６】
上記図８Ａ乃至図１０Ｂを参照すれば、本発明の制御部１６０はソーシャル情報に含まれたアイテムに対して位置情報が含まれているのか否かを確認し、位置情報が含まれたアイテムの場合、示したように地図情報上にアイテム関連情報を出力するが関連特性を区分する。例えば、制御部１６０はアイテム関連情報出力の際、ユーザレビュー、自らのソーシャル情報アイテム登録場所、他のソーシャル情報アイテム登録場所、アイテム関連イベント、当該アイテムの所有権、セール情報、個人メモ、登録されたサービス提供位置、登録されたアイテム販売先などをそれぞれ区分するように互いに異なる形態の識別情報を図８Ａ画面乃至図８Ｉ画面のように出力する。上記アイテムの位置情報は、当該アイテムがソーシャル情報に登録される過程で収集されることができる。例えば、上記アイテムが特定商品の場合、商品を販売する売場の住所情報が上記アイテムの位置情報としてソーシャル情報に登録されることができる。また、個人メモの場合、当該メモがソーシャル情報に登録される時点にＧＰＳ（Ｇｌｏｂａｌ  Ｐｏｓｉｔｉｏｎｉｎｇ  Ｓｙｓｔｅｍ）などに基づいて携帯端末機の現在位置情報が収集されることができ、収集された位置情報はメモの位置情報としてリンクされることができる。その他のアイテム関連イベントやセール情報などは当該情報を提供する売場が情報提供の際、位置情報を含ませて提供することができ、制御部１６０は情報受信の際、ユーザ制御によって上記位置情報をアイテムとリンクさせてソーシャル情報として登録させる。
【００６７】
一方、上記制御部１６０は図９Ａ画面のように複数のアイテムに対してそれぞれ区別される識別情報を一つの地図情報上に出力する。この際、画面一側には分類タブが含まれるように画面が構成されることができ、制御部１６０は分類タブのうちでユーザ制御またはデフォルトで選択されたタブに該当するアイテムに係る識別情報のみを地図情報上に出力する。
【００６８】
さらに、ユーザが特定アイテムを指示する識別情報を選択する場合、制御部１６０は図９Ｂ画面のように選択された識別情報に該当する特定アイテムの詳細情報を含む詳細情報画面を出力する。この際、詳細情報画面は当該アイテムを自らのソーシャル情報で登録したユーザに係る情報、例えば写真情報を含んで構成される。
【００６９】
一方、本発明の携帯端末機制御部１６０は、ソーシャル情報に基づいて位置別アラーム機能をサポートする。即ち、ユーザが特定アイテムを登録して構成されたソーシャル情報が存在すると、制御部１６０は携帯端末機１００の現在位置情報を確認し、図１０Ａ画面のように現在位置から一定距離以内に位置する情報を有するアイテムが存在するとこれをアラームする。するとユーザは当該アラーム画面に基づいて一定距離以内の位置にどんなアイテムが登録されているのか確認することができる。以後、ユーザが当該アイテムの詳細情報確認のための入力信号を生成すると制御部１６０は図１０Ｂ画面のように当該位置に登録されたアイテムの詳細情報を出力する。これによってユーザは現在自らの位置で一定距離以内に位置した場所で自らが望むアイテムをオフラインで購買することができる。このような機能はユーザが要するアイテムをソーシャル情報に登録させた後、一定場所に到逹する場合、ユーザの当該アイテム購買を刺激することで忘れやすい、或いは忘れた必要なアイテム購買をユーザに想起させて適切な時点及び場所で当該アイテム購買やサービス利用を実行するようにサポートする。この際、制御部１６０は上記アラームを通知バータイプで画面を隠さないように画面一側に表示し、アラームの形態は振動や音などでも可能である。
【００７０】
図１１Ａ−１１Ｃは、本発明のソーシャル情報に係るクーポンやマイレージ情報提供を説明するための図面である。
【００７１】
図１１を参照すれば、ユーザが携帯端末機を把持して特定場所に進入する場合、携帯端末機１００は当該場所が提供するクーポン、マイレージ情報などを受信することができ、これをユーザに提供することができる。特に本発明の携帯端末機制御部１６０は当該場所が提供するクーポンやマイレージ情報がソーシャル情報に登録されたクーポンまたはマイレージアイテムとの連関性を判定し、連関性があるクーポンやマイレージ情報を受信する場合、クーポンまたはマイレージ適用のための画面を表示部に出力する。例えば、ユーザが携帯端末機を把持して特定売場へ進入する場合、制御部１６０は当該売場が提供するクーポンやマイレージ情報を確認することができる。以後、制御部１６０は情報比較を通じて当該クーポンやマイレージに係るカード情報がソーシャル情報に登録されているのか確認することができる。さらに、当該カード情報が存在する場合、図１１Ａ画面のようにクーポン情報領域１１と当該クーポン情報に適用することができるカード情報領域１２を出力する。すると、ユーザは別途のクーポン情報またはカード情報確認などを実行しなくても携帯端末機確認のみを通じて当該売場が提供するクーポンやマイレージ情報を容易に確認することができる。また、携帯端末機ユーザはクーポンやマイレージ適用のためのカード使用をより容易に処理することができる。例えば、ユーザは図１１Ｂ画面のようにカード情報領域１２に出力されたカードイメージをドラッグしてクーポン情報領域１１へ移動させることによってクーポン適用決済を制御することができる。
【００７２】
ユーザが図１１Ｂ画面のようにカード情報領域１２に出力されたカードに基づいてクーポン適用のための入力信号生成動作を実行する場合制御部１６０は図１１Ｃ画面のように当該カード情報に基づいてクーポン適用が実行された決済領収画面を出力する。もし、マイレージ関連適用事例の場合、制御部１６０はマイレージ適用結果を表示部に出力するようにサポートすることができる。一方、上述した動作をサポートするために売場及び携帯端末機は、近距離情報送受信モジュール、例えばＮＦＣ（Ｎｅａｒ  Ｆｉｅｌｄ  ｃｏｍｍｕｎｉｃａｔｉｏｎ）モジュールを設けてもよい。
【００７３】
図１２Ａ−１２Ｃは、本発明の実施形態によるソーシャル情報に基づく決済機能サポートを説明するための図面である。
【００７４】
上記図１２Ａ−１２Ｃを参照すれば、ユーザは特定商品またはサービス購買による決済手段としてカード情報をソーシャル情報に登録する。この際、上記カード情報は保安などを考慮して非公開に登録される。複数のカード情報がソーシャル情報に登録された以後、当該カード情報に基づいて決済機能実行要請が発生すれば、制御部１６０はカード情報の履歴や制限条件などを確認してより効果的な、或いは決済可能なカード情報が利用される。この過程で制御部１６０はユーザが特定カードを決済手段として指定する場合、決済機能サポートの際、指定されたカードを優先的に選択し、選択されたカードに基づいて代金決済を進行するようにサポートする。また上記制御部１６０は、各カード情報の制限条件や履歴などの情報を照会して特定カードを利用して代金決済するように勧めすることができる。例えば、上記制御部１６０は当該商店のイベント、クーポン情報などを確認して当該情報に係るカードが存在するのか確認する。さらに、当該情報に係るカードが存在する場合、上記制御部１６０は当該カードに基づいて代金決済することを勧めすることができる。また上記制御部１６０は当該商店で決済した履歴があるカードを勧めすることができ、図１２Ａ画面乃至図１２Ｃ画面のようにポイントやマイレージなど補償点数が最も高く提供される決済手段を勧めすることができる。上記制御部１６０はカードの残額や限度額情報を確認し、これを基準でカードを決済手段として勧めすることができ、使用頻度数を基準で特定カードを決済手段で勧めすることができる。また、上記制御部１６０は上述した多様な要素に対して点数を付与し、各点数を総合した後、これに基づいて推薦順位を決定することができる。
【００７５】
上記制御部１６０は、全体カード情報に対して決済額に対する統合情報を提供することができる。即ち、複数個のカード情報がソーシャル情報として登録された場合、各カードを利用して決済した金額を累積して統合決済金額情報を提供することができる。また、上記制御部１６０は各カード別累積決済金額情報を提供することができる。さらに、示したように制御部１６０は各カード別ポイントやマイレージ情報を提供し、ポイント使用時、使用されたポイントが差引された結果を提供する。
【００７６】
一方、図示された図面では各画面別で一つのカード情報を出力することで示したが本発明がここに限定されるものではない。即ち、上記制御部１６０は各画面の大きさを減らした形態で一つの画面に複数個のカード情報を出力することができ、入力信号によって表示部に出力されない他のカード情報検索をサポートすることができる。
【００７７】
図１３Ａ−１３Ｂは、本発明の実施形態によるソーシャル情報に基づく財政マネージャー機能サポート画面を示したものである。
【００７８】
上記図１３Ａ−１３Ｂを参照すれば、本発明の制御部１６０は特定カードがソーシャル情報に登録された以後、ユーザが当該カードに対する支払い履歴を確認するための入力信号を生成する場合、図１３Ａ画面のように特定カードに対する支払い履歴を表示部に出力することができる。もし、ユーザが異なるカードに対する支払い履歴を確認するために他のカードを指定する場合、上記制御部１６０は当該カードに対する支払い履歴を出力することができる。この際、上記制御部１６０は分類タブを画面上端に提供し、分類タブのうちで支払い履歴に係るタブが選択される場合、図１３Ａ画面のように特定カードに対する支払い履歴画面を出力する。
【００７９】
一方、ユーザが分類タブのうちで「カード」タブを選択する場合、制御部１６０は図１３ｂ画面のようにソーシャル情報に登録された多様なカード情報を表示部に出力する。追加でユーザが分類タブのうちで「補償」タブを選択する場合、上記制御部１６０はクーポンやマイレージに係るカード情報を表示部に出力する。この際、「カード」タブを選択しても一定個数以下のカード情報が登録された場合、制御部１６０は示したように一画面に「カード」タブ項目以外に「補償」タブに係るカード情報のうちの一部を表示部に出力すればよい。上記制御部１６０はカード情報出力時、当該カードの残余額や使用可能限度額及びポイント累積額などの情報を当該リストに共に出力する。
【００８０】
図１４Ａ−１４Ｂは本発明のソーシャル情報に基づくカード登録機能を説明するための図面である。
【００８１】
図１４Ａ−１４Ｂを参照すれば、ユーザが特定売場でメンバーシップカードに登録しようとしたり新しいカードに登録しようとする場合、携帯端末機１００は当該売場からカード使用及び登録フォーマットに対する情報を受信することができる。すると、制御部１６０は図１４ａ画面のように受信されたカードフォーマット情報を表示部１４０にカードフォーマット領域２１に出力する一方、当該カード登録に必要なユーザ情報をユーザ情報領域２２に出力する。するとユーザはユーザ情報領域２２に出力されたユーザ情報イメージをドラッグしてカードフォーマット領域２１に移動させる作動のみを実行して図１４ｂ画面のように当該メンバーシップカードまたは特定カード登録を実行する。これのために上記制御部１６０は、売場のカード発給機と通信チャンネルを形成して当該カード発給機からカードフォーマット情報を受信し、ユーザ制御によってユーザ情報をカード発給機に送信する。ここで制御部１６０はユーザ情報のうちにカード発給に必要な情報のみをカード発給機に送信して保安性を高める。一方、上述した登録過程が完了すると当該カードはソーシャル情報に自動登録される。
【００８２】
図１５は、上述した本発明のソーシャル情報に基づく画面インターフェース転換を説明するための図面である。
【００８３】
上記図１５を参照すれば、携帯端末機１００は１５０１画面のようにユーザが応用プログラムまたはウィゼットタイプでソーシャル情報管理機能を利用するように画面インターフェースを提供する。
【００８４】
以後、ユーザがソーシャル情報検索のための携帯端末機１００に入力信号を生成して選択を入力する場合、制御部１６０は１５０３画面のように共有されたソーシャル情報統合画面インターフェースを出力する。１５０３画面で特定ソーシャル情報リストを選択する場合、制御部１６０は１５０５画面のように選択された特定ソーシャル情報に含まれたアイテムをリストとする画面を出力する。
【００８５】
１５０５画面で特定アイテムに対する詳細表示を選択する場合、制御部１６０は１５０７画面のように当該画面に対する詳細情報画面を出力する。詳細情報画面は多様な分類タブに区分された画面を提供する。例えば、上記詳細情報画面はソーシャル情報に含まれた情報のうちでそれぞれ一定特徴と分類されることができる画面を提供する。このような画面は前述した位置に基づくアイテム検索画面、ソーシャル情報に基づく広告フィルターリング画面、個人メモ、即ち、フィードバック情報から構成された画面、商品詳細情報から構成された画面、追加検索情報から構成された画面を含んでもよい。ソーシャル情報に基づく広告フィルターリング画面はユーザが作成したソーシャル情報に含まれたアイテムに係る広告やイベント、セール情報のみを出力する画面である。例えば、ユーザが携帯端末機を把持して一定位置に位置したり移動する場合、周辺売場から多様な広告やイベント、セール情報を無線に受信することができる。この際、制御部１６０は受信された情報のうちでソーシャル情報に登録されたアイテムに係る情報のみをフィルターリングし、フィルターリング情報のみをユーザに提供することによって顧客差別化された情報を提供する。この際、制御部１６０は共有されたソーシャル情報全体を基準で上述したフィルターリング作業を実行する。
【００８６】
一方、上記制御部１６０は前述したようにソーシャル情報としてカード情報を登録する場合、１５０９画面のように財政マネージャー機能サポートのための画面を出力する。即ち、上記制御部１６０はカード決済に対する支払い履歴情報画面、ソーシャル情報に登録されたカード種類を見せるカード情報画面、多様なメンバーシップカードの種類を見せる補償カード情報画面をユーザ選択によって表示部に出力する。
【００８７】
本願発明によるソーシャル情報管理方法及びシステムは、等級が決まった信頼度水準に基づいて容易に情報を認識することができる。従って、ユーザは高い水準のサービスを用いることができ、当該商品及びサービスに対して満足することができる。
【００８８】
上述した携帯端末機１００は、その提供形態に近距離通信のための近距離通信モジュール、被写体の停止画像／動画像を撮影するためのカメラモジュール、上記携帯端末機１００の有線通信方式または無線通信方式によるデータ送受信のためのインターフェース、インターネットネットワークと通信してインターネット機能を実行するインターネット通信モジュール及びデジタル放送受信と再生機能を実行するデジタル放送モジュールなどのように上記で言及されない構成を含むこともできる。このような構成要素はデジタル機器のコンバージェンス（ｃｏｎｖｅｒｇｅｎｃｅ）趨勢によって変形が非常に多様であるので全て列挙することはできないが、上記言及された構成要素と同等な水準の構成要素が上記携帯端末機１００に追加でさらに含まれて構成されることができる。また、本発明の携帯端末機１００はその提供形態によって上記構成で特定構成が除かれたり、他の構成で取り替えられることもできることは勿論である。これは本技術分野の通常の知識を有する者には容易に理解されることができるでしょう。
【００８９】
また、本発明の実施形態による上記携帯端末機１００はソーシャル情報生成及び共有機能をサポートする全ての形態のデバイスを含むことができる。例えば、上記携帯端末機１００は多様な通信システムに対応される通信プロトコル（ｃｏｍｍｕｎｉｃａｔｉｏｎ  ｐｒｏｔｏｃｏｌｓ）に基づいて作動する全ての移動通信端末機（ｍｏｂｉｌｅ  ｃｏｍｍｕｎｉｃａｔｉｏｎ  ｔｅｒｍｉｎａｌｓ）を含み、ＰＭＰ（Ｐｏｒｔａｂｌｅ  Ｍｕｌｔｉｍｅｄｉａ  Ｐｌａｙｅｒ）、デジタル放送プレーヤー、ＰＤＡ（Ｐｅｒｓｏｎａｌ  Ｄｉｇｉｔａｌ  ａｓｓｉｓｔａｎｔ）、音楽再生機（例えば、ＭＰ３プレーヤー）、携帯ゲーム端末、スマートフォン（Ｓｍａｒｔ  Ｐｈｏｎｅ）、ノート・ノートブック（Ｎｏｔｅｂｏｏｋ）及びハンドヘルドＰＣなどすべての情報通信機器とマルチメディア機器及びそれに対する応用機器を含むことができる。
【００９０】
本発明を幾つか好ましい実施形態を使用して説明したが、これら実施形態は例示的なもので限定的なものではない。このように、本発明が属する技術分野で通常の知識を有する者であれば本発明の思想と添付の特許請求範囲に提示された権利範囲から外れないと共に均等論によって多様な変化及び修正を加えることができることを理解するでしょう。
【符号の説明】
【００９１】
１０  ソーシャル情報管理システム
１１  クーポン情報領域
１２  カード情報領域
２１  カードフォーマット領域
２２  ユーザ情報領域
３０  ソーシャル情報統合インターフェース
１００  携帯端末機
１０１、１０２、１０３、１０４  携帯端末機
１０２  第２携帯端末機
１１０  無線通信部
１２０  入力部
１３０  オーディオ処理部
１４０  携帯端末機表示部
１５０  記憶部
１５１  ソーシャル情報管理プログラム
１６０  携帯端末機制御部
１６１  ソーシャル情報管理部
１６３  ソーシャル情報共有部
１６５  ソーシャル情報適用出力部
２００  情報共有サーバ
【図１】
2014516180.tif 000003
【図２】
2014516180.tif 000004
【図３】
2014516180.tif 000005
【図４】
2014516180.tif 000006
【図５ａ】
2014516180.tif 000007
【図５ｂ】
2014516180.tif 000008
【図５ｃ】
2014516180.tif 000009
【図６ａ】
2014516180.tif 000010
【図６ｂ】
2014516180.tif 000011
【図６ｃ】
2014516180.tif 000012
【図６ｄ】
2014516180.tif 000013
【図７ａ】
2014516180.tif 000014
【図７ｂ】
2014516180.tif 000015
【図７ｃ】
2014516180.tif 000016
【図８ａ】
2014516180.tif 000017
【図８ｂ】
2014516180.tif 000018
【図８ｃ】
2014516180.tif 000019
【図８ｄ】
2014516180.tif 000020
【図８ｅ】
2014516180.tif 000021
【図８ｆ】
2014516180.tif 000022
【図８ｇ】
2014516180.tif 000023
【図８ｈ】
2014516180.tif 000024
【図８ｉ】
2014516180.tif 000025
【図９ａ】
2014516180.tif 000026
【図９ｂ】
2014516180.tif 000027
【図１０ａ】
2014516180.tif 000028
【図１０ｂ】
2014516180.tif 000029
【図１１ａ】
2014516180.tif 000030
【図１１ｂ】
2014516180.tif 000031
【図１１ｃ】
2014516180.tif 000032
【図１２ａ】
2014516180.tif 000033
【図１２ｂ】
2014516180.tif 000034
【図１２ｃ】
2014516180.tif 000035
【図１３ａ】
2014516180.tif 000036
【図１３ｂ】
2014516180.tif 000037
【図１４ａ】
2014516180.tif 000038
【図１４ｂ】
2014516180.tif 000039
【図１５】
2014516180.tif 000040
【国際調査報告】
2014516180.tif 000041
2014516180.tif 000042